(57)【要約】【課題】装置本体の状態を利用者の携帯端末で参照できるようにすること。【解決手段】本発明は、装置本体を利用するユーザを特定するカードリーダ２と、ユーザと対応して携帯端末の識別情報を管理するユーザ情報記憶部１１と、装置本体の状態を監視する状態監視部１２と、状態監視部１２によって監視した状態の中からカードリーダ２によって特定したユーザに通知する必要があるものを抽出する機械状態抽出部１３と、機械状態抽出部１３で通知を必要とする状態を抽出した場合、ユーザ情報記憶部１１で管理されるユーザの携帯端末３の識別情報に基づき状態に関する通知を無線で行う通信部１６とを備える情報処理装置である。【選択図】図２
2006115258.tif 000002
【特許請求の範囲】
【請求項１】
装置本体を利用するユーザを特定するユーザ認証手段と、
前記ユーザと対応して携帯端末の識別情報を管理するユーザ情報記憶手段と、
前記装置本体の状態を監視する状態監視手段と、
前記状態監視手段によって監視した状態の中から前記ユーザ認証手段によって特定したユーザに通知する必要があるものを抽出する状態抽出手段と、
前記状態抽出手段で通知を必要とする状態を抽出した場合、前記ユーザ情報記憶手段で管理される前記ユーザの携帯端末の識別情報に基づき前記状態に関する通知を無線で行う通信手段と
を備えることを特徴とする情報処理装置。
【請求項２】
前記ユーザの携帯端末に送信する通知の内容を格納するサーバを備えており、
前記通信手段は、前記サーバから提供される前記通知の内容を受け取って前記携帯端末へ通知を行う
ことを特徴とする請求項１記載の情報処理装置。
【請求項３】
装置本体を利用するユーザを特定するユーザ認証手段と、
前記ユーザと対応して携帯端末の識別情報を管理するユーザ情報記憶手段と、
ユーザに対する情報を格納するサーバと、
前記ユーザ認証手段で特定したユーザに対する情報の抽出を前記サーバに要求する情報抽出手段と、
前記サーバから前記情報抽出手段へ送られた前記ユーザに対する情報を、前記ユーザ情報記憶手段で管理されるそのユーザと対応した携帯端末の識別情報に基づき無線送信する通信手段と
を備えることを特徴とする情報処理装置。
【請求項４】
装置本体を利用するユーザを特定する工程と、
前記装置本体の状態を監視するとともに、その監視した状態の中から前記工程で特定したユーザに通知する必要があるものを抽出する工程と、
前記通知する必要がある状態を抽出した場合、予め登録されている前記ユーザの携帯端末にその状態に関する通知を無線で行う工程と
を有することを特徴とする情報処理方法。
【請求項５】
装置本体を利用するユーザを特定する工程と、
前記工程で特定したユーザに対する情報の抽出をサーバに要求する工程と、
前記サーバから抽出された前記ユーザに対する情報を、予め登録されている前記ユーザの携帯端末に無線送信する工程と
を有することを特徴とする情報処理方法。
【発明の詳細な説明】
【技術分野】
【０００１】
本発明は、装置本体の状態やヘルプ情報等の所定の情報をユーザの携帯端末へ送信することでユーザに状態を的確に伝えることができる情報処理装置および情報処理方法に関する。
【背景技術】
【０００２】
複写機等の画像処理装置において、操作画面は機能設定以外にも操作ヘルプを表示したり、マシンエラーの対処法を表示したり、マシンの状態を表示する、といった使われ方が成されている。
【０００３】
ヘルプに関しては、機能設定画面にヘルプを表示する場合、ヘルプ画面を閉じて、再び設定画面に戻り、記憶したヘルプ情報を頼りに操作することになり、意図する操作を達成できないことがある。そこで、特許文献１によれば、機能設定画面とヘルプ画面を同時に表示して、ヘルプを記憶しなくても操作に応じたヘルプを見ることができる技術が開示されている。この際、機能設定画面とヘルプ画面とを同時に表示することから、ヘルプ非表示時より機能設定画面が小さくなるため、操作しづらくなるという問題がある。そこで、特許文献２によれば、ワードプロセッサ（以下、「ワープロ」と言う。）を接続し、ワープロ側表示器にマシン側の機能設定に対応する機能詳細説明を表示することができる。
【０００４】
【特許文献１】特開２００２−２２１８７７号公報
【特許文献２】特開平６−１６４８１２号公報
【発明の開示】
【発明が解決しようとする課題】
【０００５】
しかしながら、ワープロを有線でつながなくてはならず、また、情報量が増えるため、ユーザは自分に必要な情報を抽出しにくくなる。また、マシンエラーに関しては、マシンに何らかのトラブルが発生した場合に、ユーザが対処できるように機能設定画面に対処方法を状況に応じて表示しているが、マシンの本体サイズが大きくなると、トラブル対処中にわざわざ画面を見に戻る、という作業を強いられ、ワープロにトラブル情報が表示されても、有線でつながれているためにトラブル対処作業を行うには容易ではない。
【課題を解決するための手段】
【０００６】
本発明はこのような課題を解決するために成されたものである。すなわち、本発明は、装置本体を利用するユーザを特定するユーザ認証手段と、ユーザと対応して携帯端末の識別情報を管理するユーザ情報記憶手段と、装置本体の状態を監視する状態監視手段と、状態監視手段によって監視した状態の中からユーザ認証手段によって特定したユーザに通知する必要があるものを抽出する状態抽出手段と、状態抽出手段で通知を必要とする状態を抽出した場合、ユーザ情報記憶手段で管理されるユーザの携帯端末の識別情報に基づき状態に関する通知を無線で行う通信手段とを備える情報処理装置である。
【０００７】
また、本発明は、装置本体を利用するユーザを特定する工程と、装置本体の状態を監視するとともに、その監視した状態の中から前記工程で特定したユーザに通知する必要があるものを抽出する工程と、通知する必要がある状態を抽出した場合、予め登録されているユーザの携帯端末にその状態に関する通知を無線で行う工程とを有する情報処理方法である。
【０００８】
このような本発明では、装置本体の状態を監視し、ユーザに通知する必要がある状態を抽出した場合には、予め登録されているユーザの携帯端末にその状態に関する通知を無線で行うため、ユーザは自らの携帯端末で必要な情報を参照できるようになる。
【０００９】
また、本発明は、装置本体を利用するユーザを特定するユーザ認証手段と、ユーザと対応して携帯端末の識別情報を管理するユーザ情報記憶手段と、ユーザに対する情報を格納するサーバと、ユーザ認証手段で特定したユーザに対する情報の抽出をサーバに要求する情報抽出手段と、サーバから情報抽出手段へ送られたユーザに対する情報を、ユーザ情報記憶手段で管理されるそのユーザと対応した携帯端末の識別情報に基づき無線送信する通信手段とを備える情報処理装置である。
【００１０】
また、本発明は、装置本体を利用するユーザを特定する工程と、前記工程で特定したユーザに対する情報の抽出をサーバに要求する工程と、サーバから抽出されたユーザに対する情報を、予め登録されているユーザの携帯端末に無線送信する工程とを有する情報処理方法である。
【００１１】
このような本発明では、装置本体を利用するユーザに対して必要となる情報をサーバに要求して抽出し、その情報を予め登録されているユーザの携帯端末に無線送信するため、ユーザは自らの携帯端末で必要な情報を参照できるようになる。
【発明の効果】
【００１２】
したがって、本発明によれば、ユーザは装置の状態やユーザに必要な情報を無線通信によって自らの携帯端末で参照することができ、その携帯端末に表示される情報を参照しながら装置のエラー対処等を容易に行うことが可能となる。また、個人所有の携帯端末に情報を表示することができるため、表示部の小さいプリンタ専用機であっても、表示専用ディスプレイを用意する必要がなく、コストダウンを図ることが可能となる。
【発明を実施するための最良の形態】
【００１３】
以下、本発明の実施の形態を図に基づき説明する。図１は、本実施形態に係る情報処理装置の概略構成を説明する模式図である。すなわち、この画像処理装置は、複写動作やスキャナ動作、プリント動作等を行う装置本体１と、ＩＤカード等によって装置本体１を使用するユーザを特定するカードリーダ（ユーザ認証手段）２とを備えている。なお、本実施形態ではＩＤカードによってユーザを認証しているが、ＩＤカード以外の方法（例えば、暗証番号や生体認証）によって認証してもよい。また、本実施形態では、装置本体１からユーザに対して送られる必要な情報を受信して表示する携帯端末３が必要となる。携帯端末３は携帯電話やＰＤＡ（Personal Digital Assistant）など、無線（電波や赤外線、無線ＬＡＮ、Blue Tooth等）によって情報伝達を行うことができるものを用いる。
【００１４】
図２は、本実施形態に係る情報処理装置における構成を説明するブロック図である。本実施形態に係る情報処理装置は、カードリーダ２で読み取った情報や暗証番号等の識別情報によってユーザを特定するため、識別情報とユーザとの対応を記憶するユーザ情報記憶部１１と、装置本体の動作状態を監視する状態監視部１２と、状態監視部１２で監視した状態の中からユーザに通知する必要があるものを抽出する機械状態抽出部１３と、抽出された状態を出力する機械状態出力部１４と、装置の状態に応じたユーザに通知するメッセージを格納するＷｅｂサーバ１５と、メッセージをユーザの携帯端末３へ送信する通信部１６とを備えている。
【００１５】
なお、上記の構成では、ユーザに通知するメッセージを格納するサーバとしてＷｅｂサーバ１５を用いているが、装置本体１に専用のサーバ（内部サーバ）を備えていてもよい。また、上記の例ではユーザを認証するためにＩＤカードや暗証番号を用いているが、携帯端末３から発信される情報を読み取ってユーザを認証するものであってもよい。また、ユーザ情報記憶部１１には、識別情報とユーザとの対応のほか、そのユーザの携行する携帯端末のアドレスが格納されている。
【００１６】
図３は、ユーザ情報記憶部に記憶される情報管理テーブルの例を示す図である。情報管理テーブルには、ＩＤカードのカード番号と対応してユーザ名が記憶され、そのカード番号およびユーザ名と対応して携帯端末アドレス（１）、（２）が記憶されている。携帯端末アドレス（１）は例えば携帯端末の物理的なアドレス（ＭＡＣアドレスや電話番号）が用いられ、携帯端末アドレス（２）は例えば携帯端末のＩＰアドレスが用いられている。いずれの情報でも通信部１６での通信方式において携帯端末の宛先が分かるものであればよい。
【００１７】
次に、このような構成から成る情報処理装置の動作（情報処理方法）を図４、図５のフローチャートに沿って説明する。なお、以下の説明で図４、図５に示されない符号は図１、図２を参照するものとする。先ず、ユーザはＩＤカードをカードリーダ２に挿入するか、もしくは暗証番号を入力することでユーザ認証を実行する（ステップＳ１）。次いで、ユーザが例えばコピージョブを開始すると（ステップＳ２）、状態監視部１２が装置本体１の動作状態を監視する。
【００１８】
ここで、例えば用紙が不足（用紙切れ）が発生すると（ステップＳ３）、状態監視部１２が用紙切れを検知し（ステップＳ４）、ジョブの状態、デバイスの状態を抽出する（ステップＳ５）。そして、機械状態抽出部１３が、装置使用中のユーザにだけ関係するジョブもしくはデバイスの状態である否かを判断する（ステップＳ６）。
【００１９】
この処理で、装置使用中のユーザにだけ関係する状態ではないと判断した場合（ステップＳ６でＮｏ）、携帯端末３を特定せず、ブロードキャストでメッセージを発信する（ステップＳ７）。例えば、装置本体１に設けられた操作画面に「用紙切れ」を通知するメッセージを表示する。
【００２０】
一方、装置使用中のユーザにだけ関係する状態であると判断した場合（ステップＳ６でＹｅｓ）、装置使用中のユーザの携帯端末３を特定し（ステップＳ８）、特定した携帯端末３に向けてメッセージを発しする（ステップＳ９）。この処理では、ＩＤカード等によって装置使用中のユーザを認証しているため、ユーザ情報記憶部１１に記憶されるそのユーザの携帯端末アドレスを図３に示す情報管理テーブルから参照し、その携帯端末アドレスに通信部１６からメッセージを発信する。
【００２１】
具体的には、機械状態出力部１４が機械状態情報をユーザ情報とマージし、Ｗｅｂサーバ１５に対し機械情報送信要求を行う。Ｗｅｂサーバ１５は、通信部１６に対し、携帯端末３が機械情報取得要求を発信するよう要求をする。そして、通信部１６は、携帯端末３に機械情報取得要求トリガを発信する。例えば、携帯端末３内に登録されている、Call関数を呼ぶ。このとき、装置使用中のユーザに対して情報を送信する場合は、ＩＤ情報を付加してトリガを発信する。なお、ユーザを特定しない場合にはＩＤ情報は付加しない。
【００２２】
次いで、携帯端末３によってメッセージを受信すると（ステップＳ１０）、その携帯端末３から装置本体１に対して情報取得要求のメッセージを送信する（ステップＳ１１）。このメッセージを装置本体の通信部１６で受信すると、Ｗｅｂサーバ１５に装置情報の生成を要求し（ステップＳ１２）、通信部１６はＷｅｂサーバ１５から送られた装置情報を受け取って、これを携帯端末３に送信する（ステップＳ１３）。これにより、ユーザは自らが携行する携帯端末３で装置情報を受け取って（ステップＳ１４）、それを参照できるようになる。
【００２３】
ここで、携帯端末３で情報を受け取る具体例としては、携帯端末３がCall関数を起動し、引数に携帯端末３のＩＤをつけて、装置本体１に対し機械情報取得要求を発信する。通信部１６はＷｅｂサーバ１５に、機械情報取得要求があったことを伝える。そして、Ｗｅｂサーバ１５は携帯端末３のＩＤで、送信先情報を特定し、ＨＴＭＬ（Hyper Text Markup Language）等の形式で機械情報を生成し、その機械情報を通信部１６に送信する。通信部１６は、Ｗｅｂサーバ１５から受けた情報を、携帯端末３へ発信する。
【００２４】
このような本実施形態に係る情報処理装置およびその動作によって、ユーザは操作中に装置本体１の画面を遮ることなく、自らの携帯端末３で装置情報を取得することができる。したがって、ユーザが装置から離れたところにいても、装置情報を取得することが可能となる。また、無線によって情報を得るため、大型の装置であっても、わざわざ表示画面に戻ることなく必要な情報を参照でき、容易にエラー対処を行うことが可能となる。また、装置の画面領域に制限されずに装置の情報をユーザに伝えることが可能となる。
【００２５】
図６は、他の実施形態（その１）を説明するブロック図である。この情報処理装置は、装置本体１の個人ＢＯＸ（個人ごとに区分けされた記憶領域）に格納された情報をユーザの携帯端末３で呼び出して参照できる点に特徴がある。
【００２６】
この情報処理装置は、カードリーダ２で読み取った情報や暗証番号等の識別情報によってユーザを特定するため、識別情報とユーザとの対応を記憶するユーザ情報記憶部１１と、特定したユーザごとに個人ＢＯＸの情報を抽出する個人ＢＯＸ情報抽出部２１と、抽出した情報を出力する個人ＢＯＸ情報出力部２２と、ユーザ宛のメッセージを格納するＷｅｂサーバ１５と、メッセージをユーザの携帯端末３へ送信する通信部１６とを備えている。
【００２７】
この情報処理装置で個人ＢＯＸ内の情報を取得するには、先ず、携帯端末３から装置本体に対し、個人ＢＯＸ内情報取得要求を発信する。この要求を通信部１６で受け、Ｗｅｂサーバ１５に対し、個人ＢＯＸ内情報取得要求を伝達する。次いで、Ｗｅｂサーバ１５は個人ＢＯＸ情報抽出部２１に抽出要求を行う。そして、個人ＢＯＸ情報抽出部２１は、抽出した個人ＢＯＸ内の情報をＢＯＸ情報出力部２２に送信する。ＢＯＸ情報出力部２２は、Ｗｅｂサーバ１５に情報出力要求をする。Ｗｅｂサーバ１５は、ＨＴＭＬ（Hyper Text Markup Language）等の形式で個人情報ＢＯＸ情報を生成し、通信部１６に個人情報ＢＯＸ情報を送信する。通信部１６は携帯端末３に、個人ＢＯＸ情報を無線送信する。
【００２８】
ここで、通信部１６と携帯端末３との間の通信は暗号化されているため、情報を要求している個人の携帯端末以外での情報取得はできないようになっている。このような情報処理装置および個人ＢＯＸ情報の取得動作では、ユーザは装置本体から離れていても自らの携帯端末３で個人ＢＯＸ内の情報を取得することが可能となる。
【００２９】
図７は、他の実施形態（その２）を説明するブロック図である。この情報処理装置は、装置本体１のヘルプ情報をユーザの携帯端末３で呼び出して参照できる点に特徴がある。
【００３０】
この情報処理装置は、カードリーダ２で読み取った情報や暗証番号等の識別情報によってユーザを特定するため、識別情報とユーザとの対応を記憶するユーザ情報記憶部１１と、特定したユーザごとにヘルプ情報を抽出するヘルプ情報抽出部３１と、抽出したヘルプ情報を出力するヘルプ情報出力部３２と、ユーザ宛のメッセージを格納するＷｅｂサーバ１５と、メッセージをユーザの携帯端末３へ送信する通信部１６とを備えている。
【００３１】
この情報処理装置でヘルプ情報を取得するには、先ず、カードリーダ２または暗証入力などにより、ユーザ認証をする。次いで、ユーザ情報記憶部１１から、ヘルプ情報出力部３１にユーザ情報を送信する。
【００３２】
この状態で、ユーザの携帯端末３からヘルプ情報取得要求を発信すると、通信部１６を介して、ヘルプ情報取得要求をＷｅｂサーバ１５に送る。次いで、Ｗｅｂサーバ１５はヘルプ情報抽出部３１に抽出要求を行い、該当するヘルプを抽出する処理を行う。そして、ヘルプ情報出力部３２にヘルプ情報を送信し、特定できているユーザの情報（ユーザ情報）とマージして、Ｗｅｂサーバ１５に出力要求をする。
【００３３】
Ｗｅｂサーバ１５はＨＴＭＬ（Hyper Text Markup Language）等の形式でヘルプ情報を生成し、通信部１６に対してヘルプ情報を送信し、通信部１６はユーザの携帯端末３にヘルプ情報を無線送信する。
【００３４】
このような情報処理装置およびヘルプ情報取得動作では、ユーザは操作中に装置本体の画面を遮ることなく、自らの携帯端末３でヘルプ情報を取得することができる。したがって、ユーザが装置から離れたところにいても、ヘルプ情報を取得することが可能となる。また、大型の装置であっても、わざわざ表示画面に戻ることなく必要なヘルプ情報を参照できるため、容易にエラー対処等を行うことが可能となる。また、装置の画面領域に制限されずに装置の情報をユーザに伝えることが可能となる。
【００３５】
しかも、情報の送信先となるユーザを特定できているため、ユーザごとにカスタマイズしたヘルプ情報をＷｅｂサーバ１５に用意しておくことで、情報を要求しているユーザに適した形式で情報を表示させることが可能となる。また、ユーザを特定することにより、装置本体１を利用制限されているユーザには、利用できない機能に関するヘルプは送信しないため、ユーザが余計なヘルプ情報を受け取らないで済み、必要なヘルプ情報を迅速に参照することが可能となる。
【図面の簡単な説明】
【００３６】
【図１】本実施形態に係る情報処理装置の概略構成を説明する模式図である。
【図２】本実施形態に係る情報処理装置における構成を説明するブロック図である。
【図３】ユーザ情報記憶部に記憶される情報管理テーブルの例を示す図である。
【図４】情報処理装置の動作（情報処理方法）を説明するフローチャート（その１）である。
【図５】情報処理装置の動作（情報処理方法）を説明するフローチャート（その２）である。
【図６】他の実施形態（その１）を説明するブロック図である。
【図７】他の実施形態（その２）を説明するブロック図である。
【符号の説明】
【００３７】
１…装置本体、２…カードリーダ、３…携帯端末、１１…ユーザ情報記憶部、１２…状態監視部、１３…機械状態抽出部、１４…機械状態出力部、１５…Ｗｅｂサーバ、１６…通信部、２１…個人ＢＯＸ情報抽出部、２２…ＢＯＸ情報出力部、３１…ヘルプ情報抽出部、３２…ヘルプ情報出力部
【図１】
2006115258.tif 000003
【図２】
2006115258.tif 000004
【図３】
2006115258.tif 000005
【図４】
2006115258.tif 000006
【図５】
2006115258.tif 000007
【図６】
2006115258.tif 000008
【図７】
2006115258.tif 000009